(57)【特許請求の範囲】
【請求項１】
配信予定先が同一であり製品の第１部品を構成する複数の第１構成部品に関する複数の第１図面データが予めパッケージ化された図面パッケージを格納する図面データベースと、
前記図面パッケージの前記配信予定先である第１配信先を示す第１配信先情報と、前記第１部品に関する情報を示す第１部品情報とを関連付けて格納する配信先データベースと、
ここで、前記第１部品情報は、前記第１部品を示す第１階層第１部品情報と、前記複数の第１構成部品を示す複数の第２階層第１部品情報とを含み、
複数の第２部品の各々を構成する複数の第２構成部品に関する複数の第２図面データが過去に配信された配信先である複数の第２配信先を示す複数の第２配信先情報と、前記複数の第２部品に関連する情報を示す複数の第２部品情報とを関連付けて格納する配信図面データベースと、
ここで、前記複数の第２部品情報の各々は、前記複数の第２部品のうちの対応するものを示す第１階層第２部品情報と、前記複数の第２部品のうちの対応するものの前記複数の第２構成部品を示す複数の第２階層第２部品情報とを含み、
前記第１部品情報と前記複数の第２部品情報とに基づいて、前記複数の第１図面データの前記第１配信先へのネットワークを介した配信を制御する図面配信部と
を具備し、
前記図面配信部は、
前記第１階層第１部品情報と一致する前記第１階層第２部品情報としての一致部品情報が存在し、前記一致第１階層第２部品情報において前記第２階層第１部品情報と一致する前記第２階層第２部品情報としての下位一致部品情報が存在し、且つ、前記下位一致部品情報に対応する前記第２配信先情報としての下位一致配送先情報が前記第１配信先である場合、前記複数の第１図面データのうちの前記第２階層第１部品情報に対応するものの前記第１配信先への配信を中止し、
前記一致部品情報が存在するが前記下位一致部品情報が存在しない場合、前記複数の第１図面データのうちの前記第２階層第１部品情報に対応するものの前記第１配信先への配信を実行し、
前記一致部品情報が存在しない場合、前記図面パッケージの前記第１配信先への配信を実行する
図面配信システム。
【請求項２】
前記図面配信部は、前記第１図面データ又は前記図面パッケージの前記第１配信先への配信を実行した場合、前記第１部品情報を前記複数の第２部品情報に、前記第１配信先情報を前記複数の第２配信先情報にそれぞれ追加する
請求項１に記載の図面配信システム。
【請求項３】
図面配信システムを用いた図面配信方法であって、
ここで、前記図面配信システムは、
配信予定先が同一であり製品の第１部品を構成する複数の第１構成部品に関する複数の第１図面データが予めパッケージ化された図面パッケージを格納する図面データベースと、
前記図面パッケージの前記配信予定先である第１配信先を示す第１配信先情報と、前記第１部品に関する情報を示す第１部品情報とを関連付けて格納する配信先データベースと、
ただし、前記第１部品情報は、前記第１部品を示す第１階層第１部品情報と、前記複数の第１構成部品を示す複数の第２階層第１部品情報とを含み、
複数の第２部品の各々を構成する複数の第２構成部品に関する複数の第２図面データが過去に配信された配信先である複数の第２配信先を示す複数の第２配信先情報と、前記複数の第２部品に関連する情報を示す複数の第２部品情報とを関連付けて格納する配信図面データベースと、
ただし、前記複数の第２部品情報の各々は、前記複数の第２部品のうちの対応するものを示す第１階層第２部品情報と、前記複数の第２部品のうちの対応するものの前記複数の第２構成部品を示す複数の第２階層第２部品情報とを含み、
前記第１部品情報と前記複数の第２部品情報とに基づいて、前記複数の第１図面データの前記第１配信先へのネットワークを介した配信を制御する図面配信部と
を備え、
（ａ）前記図面配信部が、前記第１配信先情報と前記第１部品情報とを配信先データベースから取得するステップと、
（ｂ）前記図面配信部が、前記配信図面データベースを参照して、前記第１階層第１部品情報と一致する前記第１階層第２部品情報としての一致部品情報が存在し、前記一致第１階層第２部品情報において前記第２階層第１部品情報と一致する前記第２階層第２部品情報としての下位一致部品情報が存在し、且つ、前記下位一致部品情報に対応する前記第２配信先情報としての下位一致配送先情報が前記第１配信先である場合、前記複数の第１図面データのうちの前記第２階層第１部品情報に対応するものの前記第１配信先への配信を中止するステップと、
（ｃ）前記図面配信部が、前記配信図面データベースを参照して、前記一致部品情報が存在するが前記下位一致部品情報が存在しない場合、前記複数の第１図面データのうちの前記第２階層第１部品情報に対応するものの前記第１配信先への配信を実行するステップと
（ｄ）前記図面配信部が、前記配信図面データベースを参照して、前記一致部品情報が存在しない場合、前記図面パッケージの前記第１配信先への配信を実行するステップと
を具備する
図面配信方法。
【請求項４】
（ｅ）前記図面配信部が、前記第１図面データ又は前記図面パッケージの前記第１配信先への配信を実行した場合、前記第１部品情報を前記複数の第２部品情報に、前記第１配信先情報を前記複数の第２配信先情報にそれぞれ追加するステップを更に具備する
請求項３に記載の図面配信方法。
【請求項５】
図面配信システムを用いた図面配信方法をコンピュータに実行させるためのプログラムであって、
ここで、前記図面配信システムは、
配信予定先が同一であり製品の第１部品を構成する複数の第１構成部品に関する複数の第１図面データが予めパッケージ化された図面パッケージを格納する図面データベースと、
前記図面パッケージの前記配信予定先である第１配信先を示す第１配信先情報と、前記第１部品に関する情報を示す第１部品情報とを関連付けて格納する配信先データベースと、
ただし、前記第１部品情報は、前記第１部品を示す第１階層第１部品情報と、前記複数の第１構成部品を示す複数の第２階層第１部品情報とを含み、
複数の第２部品の各々を構成する複数の第２構成部品に関する複数の第２図面データが過去に配信された配信先である複数の第２配信先を示す複数の第２配信先情報と、前記複数の第２部品に関連する情報を示す複数の第２部品情報とを関連付けて格納する配信図面データベースと、
ただし、前記複数の第２部品情報の各々は、前記複数の第２部品のうちの対応するものを示す第１階層第２部品情報と、前記複数の第２部品のうちの対応するものの前記複数の第２構成部品を示す複数の第２階層第２部品情報とを含み、
前記第１部品情報と前記複数の第２部品情報とに基づいて、前記複数の第１図面データの前記第１配信先へのネットワークを介した配信を制御する図面配信部と
を備え、
（ａ）前記図面配信部が、前記第１配信先情報と前記第１部品情報とを配信先データベースから取得するステップと、
（ｂ）前記図面配信部が、前記配信図面データベースを参照して、前記第１階層第１部品情報と一致する前記第１階層第２部品情報としての一致部品情報が存在し、前記一致第１階層第２部品情報において前記第２階層第１部品情報と一致する前記第２階層第２部品情報としての下位一致部品情報が存在し、且つ、前記下位一致部品情報に対応する前記第２配信先情報としての下位一致配送先情報が前記第１配信先である場合、前記複数の第１図面データのうちの前記第２階層第１部品情報に対応するものの前記第１配信先への配信を中止するステップと、
（ｃ）前記図面配信部が、前記配信図面データベースを参照して、前記一致部品情報が存在するが前記下位一致部品情報が存在しない場合、前記複数の第１図面データのうちの前記第２階層第１部品情報に対応するものの前記第１配信先への配信を実行するステップと
（ｄ）前記図面配信部が、前記配信図面データベースを参照して、前記一致部品情報が存在しない場合、前記図面パッケージの前記第１配信先への配信を実行するステップと
を具備する方法をコンピュータに実行させるためのプログラム。
【請求項６】
（ｅ）前記図面配信部が、前記第１図面データ又は前記図面パッケージの前記第１配信先への配信を実行した場合、前記第１部品情報を前記複数の第２部品情報に、前記第１配信先情報を前記複数の第２配信先情報にそれぞれ追加するステップを更に具備する
請求項５に記載の方法をコンピュータに実行させるためのプログラム。
【発明の詳細な説明】
【０００１】
【発明の属する技術分野】
本発明は、製品に使用される部品の図面を他の事業所等へ配信するシステム及び配信する方法に関し、特に、図面の重複配信を防止する図面配信システム及び図面配信方法に関する。
【０００２】
【従来の技術】
自動車のような製品の設計においては、使用する部品に対応して図面を作成する。そして、それらの図面は、製造工場等へ配信され、自動車の製造に使用される。ここで、自動車においては、その部品点数が非常に多数である。そのため、製造工場等へ配信される図面の数も膨大となり、通信システムで配信する場合には、システムの負担が大きく、コストも高い。
【０００３】
部品は、一つの車種にのみ使用されるものはなく、その多くは他の車種においても使用する場合が多い。それらは、使用される車種が異なるだけで、部品そのものは同一である。同一部品を使用するので、同じ図面を使用することが可能である。しかし、図面は、然るべき品目（部品の組合せ）毎、あるいは装備（品目の組合せ）毎に、纏められて配信される場合が多い。その場合、その中から既に配信された図面だけを抽出し、残りの図面のみを配信することは手間と時間がかかる他、配信ミスや誤配信等の問題が起き易く、精度良く実施することが困難であった。
【０００４】
配信される複数の図面の中から既に配信された図面だけを精度良く、容易に抽出することが可能な技術が望まれている。図面の配信ミスや誤配信等の問題が起き難く、必要な図面を適切に配信可能な技術が求められている。
【０００５】
【発明が解決しようとする課題】
従って、本発明の目的は、配信される複数の図面の中から既に配信された図面だけを精度良く、容易に抽出することが可能な図面配信システム及び図面配信方法を提供することである。
【０００６】
また、本発明の他の目的は、図面の配信ミスや誤配信等の問題が起き難く、必要な図面を適切に配信可能となる図面配信システム及び図面配信方法を提供することである。
【０００７】
本発明の更に他の目的は、図面配信や図面保管に関わるコストを低減することが可能な図面配信システム及び図面配信方法を提供することである。
【０００８】
【課題を解決するための手段】
以下に、［発明の実施の形態]で使用される番号・符号を用いて、課題を解決するための手段を説明する。これらの番号・符号は、［特許請求の範囲］の記載と［発明の実施の形態］との対応関係を明らかにするために付加されたものである。ただし、それらの番号・符号を、［特許請求の範囲］に記載されている発明の技術的範囲の解釈に用いてはならない。
【０００９】
従って、上記課題を解決するために、本発明の図面配信システムは、配信先データベース(１２)と、配信図面データベース(１３)と、図面配信部(１１)とを具備する。配信先データベース(１２)は、製品の第１部品の第１図面の配信予定先である第１配信先を示す第１配信先情報(２４)と、その第１部品に関する情報を示す第１部品情報(２６、２７)とを関連付けて格納する。配信図面データベース(１３)は、複数の第２部品の複数の第２図面を過去に配信された配信先である複数の第２配信先を示す複数の第２配信先情報(２９)と、その複数の第２部品に関連する情報を示す複数の第２部品情報(３１、３６)とを関連付けて格納する。図面配信部(１１)は、第１部品情報(２６、２７)と複数の第２部品情報(３１，３６)とに基づいて、その第１図面のその第１配信先への配信を制御（中止又は実行）する。
【００１０】
また、本発明の図面配信システムは、図面配信部(１１)が、複数の第２部品情報(３１、３６)の内の第１部品情報(２６、２７)と一致する一致部品情報が存在し、且つ、複数の第２配信先情報(２９)の内のその一致部品情報に対応する一致配信先情報が、その第１配信先である場合、その第１図面のその第１配信先への配信を中止する。
【００１１】
また、本発明の図面配信システムは、図面配信部(１１)が、その一致部品情報が存在しない場合、又は、その一致部品情報が存在し、且つ、複数の第２配信先情報(２９)の内のその一致部品情報に対応する一致配信先情報が、その第１配信先でない場合、その第１図面のその第１配信先への配信を実行する。
【００１２】
更に、本発明の図面配信システムは、図面配信部(１１)が、その第１図面のその第１配信先への配信を実行した場合、第１部品情報(２６、２７)を複数の第２部品情報(３１、３６)に、第１配信先情報(２４)を複数の第２配信先情報(２９)にそれぞれ追加する。
【００１３】
上記課題を解決するために、本発明の図面配信方法は、製品の第１部品の第１図面の配信予定先である第１配信先を示す第１配信先情報(２４)と、第１配信先情報(２４)に関連付けられたその第１部品に関する情報を示す第１部品情報(２６、２７)とを取得するステップと、複数の第２部品の複数の第２図面を過去に配信された配信先である複数の第２配信先を示す複数の第２配信先情報(２９)と、複数の第２配信先情報(２９)に関連付けられたその複数の第２部品に関連する情報を示す複数の第２部品情報(３１，３６)とを取得するステップと、第１配信先情報(２４)と複数の第２配信先情報(２９)とに基づいて、その第１図面のその第１配信先への配信を制御するステップとを具備する。
【００１４】
また、本発明の図面配信方法は、その配信を制御するステップが、複数の第２配信先情報(２９)の内、第１配信先情報(２４)と一致する一致配信先情報の存在を検索するステップと、その一致配信先情報が存在する場合、複数の第２部品情報(３１，３６)の内、第１部品情報(２６、２７)に対応する一致部品情報の存在を検索するステップと、その一致部品情報が存在する場合、その第１図面のその第１配信先への配信を中止するステップとを具備する。
【００１５】
また、本発明の図面配信方法は、その配信を制御するステップが、複数の第２配信先情報(２９)の内、第１配信先情報(２４)と一致する一致配信先情報の存在を検索するステップと、その一致配信先情報が存在する場合、複数の第２部品情報(３１，３６)の内、第１部品情報(２６、２７)に対応する一致部品情報の存在を検索するステップと、その一致部品情報が存在しない場合、その第１図面のその第１配信先への配信を実行するステップとを具備する。
【００１６】
また、本発明の図面配信方法は、その配信を制御するステップが、複数の第２配信先情報(２９)の内、第１配信先情報(２４）と一致する一致配信先情報の存在を検索するステップと、その一致配信先情報が存在しない場合、その第１図面のその第１配信先への配信を実行するステップとを具備する。
【００１７】
更に、本発明の図面配信方法は、その配信を制御するステップが、複数の第２部品情報(３１，３６)の内、第１部品情報(２６、２７)と一致する一致部品情報の存在を検索するステップと、その一致部品情報が存在する場合、複数の第２配信先情報(２９)の内、第１配信先情報(２４)に対応する一致配信先情報の存在を検索するステップと、その一致配信先情報が存在する場合、その第１図面のその第１配信先への配信を中止するステップとを具備する。
【００１８】
更に、本発明の図面配信方法は、その配信先を制御するステップが、その第１図面のその第１配信先への配信を実行した場合、第１部品情報(２６、２７)を複数の第２部品情報(３１，３６)に、第１配信先情報(２４)を複数の第２配信先情報(２９)にそれぞれ追加するステップを更に具備する。
【００１９】
上記課題を解決するために、本発明に関するプログラムは、製品の第１部品の第１図面の配信予定先である第１配信先を示す第１配信先情報(２４)と、第１配信先情報(２４)に関連付けられたその第１部品に関する情報を示す第１部品情報(２６、２７)とを取得するステップと、複数の第２部品の複数の第２図面を過去に配信された配信先である複数の第２配信先を示す複数の第２配信先情報(２９)と、複数の第２配信先情報(２９)に関連付けられたその複数の第２部品に関連する情報を示す複数の第２部品情報(３１，３６)とを取得するステップと、第１配信先情報(２４)とその複数の第２配信先情報(２９)とに基づいて、その第１図面のその第１配信先への配信を制御するステップとを具備する方法をコンピュータに実行させる。
【００２０】
また、本発明に関するプログラムは、その配信を制御するステップが、複数の第２配信先情報(２９)の内、第１配信先情報(２４)と一致する一致配信先情報の存在を検索するステップと、その一致配信先情報が存在する場合、複数の第２部品情報(３１，３６)の内、第１部品情報(２６、２７)に対応する一致部品情報の存在を検索するステップと、その一致部品情報が存在する場合、その第１図面のその第１配信先への配信を中止するステップとを具備する上記の方法をコンピュータに実行させる。
【００２１】
更に、本発明に関するプログラムは、その配信を制御するステップが、複数の第２配信先情報(２９)の内、第１配信先情報(２４)と一致する一致配信先情報の存在を検索するステップと、その一致配信先情報が存在する場合、複数の第２部品情報(３１，３６)の内、第１部品情報(２６、２７)に対応する一致部品情報の存在を検索するステップと、その一致部品情報が存在しない場合、その第１図面のその第１配信先への配信を実行するステップとを具備する。
【００２２】
また、本発明に関するプログラムは、その配信を制御するステップが、複数の第２配信先情報(２９)の内、第１配信先情報(２４）と一致する一致配信先情報の存在を検索するステップと、その一致配信先情報が存在しない場合、その第１図面のその第１配信先への配信を実行するステップとを具備する上記の方法をコンピュータに実行させるためのプログラム。
【００２３】
更に、本発明に関するプログラムは、その配信を制御するステップが、複数の第２部品情報(３１，３６)の内、第１部品情報(２６、２７)と一致する一致部品情報の存在を検索するステップと、その一致部品情報が存在する場合、複数の第２配信先情報(２９)の内、第１配信先情報(２４)に対応する一致配信先情報の存在を検索するステップと、その一致配信先情報が存在する場合、その第１図面のその第１配信先への配信を中止するステップとを具備する上記の方法をコンピュータに実行させるためのプログラム。
【００２４】
更に、本発明に関するプログラムは、その配信を制御するステップが、その第１図面のその第１配信先への配信を実行した場合、第１部品情報(２６、２７)を複数の第２部品情報(３１，３６)に、第１配信先情報(２４)を複数の第２配信先情報(２９)にそれぞれ追加するステップを更に具備する上記の方法をコンピュータに実行させるためのプログラム。
【００２５】
【発明の実施の形態】
以下、本発明である図面配信システム及び図面配信方法の実施の形態に関して、添付図面を参照して説明する。
本実施例において、自動車の部品の図面を配信するシステムを例に示して説明する。ただし、他の製品の複数の図面を配信する場合においても、適用可能である。
【００２６】
図１は、本発明である図面配信システムを適用した図面取得システムの実施の形態における構成を示す図である。
図面取得システムは、図面配信システム１及び事業所サーバ２−１〜２−ｎを具備する。それらはネットワーク３で双方向に接続されている。
【００２７】
図面配信システム１について説明する。
図面配信システム１は、ワークステーションやパーソナルコンピュータに例示される情報処理装置である。ネットワーク３を介して事業所サーバ２−１〜２−ｎと通信可能に接続されている。図面配信システム１は、事業所サーバ２−１〜２−ｎへ図面の配信を行う。
図面配信システム１は、プログラムとしての図面配信部１１を含み、配信先データベース１２、配信図面データベース１３、図面データベース１４及び部品表データベース１５とを搭載している。
【００２８】
配信先データベース１２は、第１配信先を示す第１配信先情報と、第１部品に関する情報を示す第１部品情報とを関連付けて格納する。このデータベースは、これから配信される図面のリストを示している。
第１部品は、今回の製品に用いる部品（自動車を構成する部品、又は、その部品を構成する部品）である。
第１配信先は、第１部品に関する図面の配信を予定している配信先である。
図面の配信先は、自動車及びその部品の開発、製造等を行う開発拠点、製造工場、メーカー等（以下「事業所」とも称する）である。
部品の種類は、部品の使用される装備、部品のグループ、部品の品目等であり、図面を出力、配信先等する際に、一纏めとして取り扱われる単位である。本実施例では品目である。
【００２９】
配信先データベース１２について、更に説明する。
図３は、配信先データベース１２を示す図である。配信先データベース１２は、第１配信先情報と第１部品情報とを関連付けて格納している。配信先２４、派生２５、品目２６、部番２７及び配信先の有無２８を含む。
配信先２４は、第１配信先を示す第１配信先情報である。本実施例では、事業所の名称（略称）等である。
派生２５は、第１部品を含む製品の種類を示す情報である。本実施例では、自動車の車種における、複数の装備（トランスミッション、サンルーフ、アンチロックブレーキ、等）の組合せによる製品のバリエーションを示す呼称（略称）等である。ここでは、英文字と数字と記号とで表現したものを用いる（本実施の形態中の「派生」で同じ）。
品目２６は、第１部品に関する情報を示す情報である。品目単位で図面を配信する。本実施例では、自動車の構成部品として個別に考慮可能な部品の集合を示す呼称（略称）等である。ここでは、英文字と数字と記号とで表現したものを用いる（本実施の形態中の「品目」で同じ）。
部番２７は、第１部品の番号である。ここでは、英文字と数字と記号とで表現したものを用いる（本実施の形態中の「部番」で同じ）。
配信先の有無２８は、図面を最終的に配信するか否かを記述する。初期状態は、配信「有」となっている。
本実施例では、第１配信先情報が配信先２４であり、第１部品情報は、品目２６及び部番２７の少なくとも一つである。
【００３０】
図１を参照して、配信図面データベース１３は、複数の第２配信を示す複数の第２配信先情報と、複数の第２部品に関する情報を示す複数の第２部品情報とを関連付けて格納する。このデータベースは、過去にいずれかの事業所等に配信された図面のリストを示している。
第２部品は、事業者等の配信先へ過去に配信された図面に対応する部品である。
第２配信先は、第２部品の図面を過去に配信された配信先である。
【００３１】
配信図面データベース１３について、更に説明する。
図４は、配信図面データベース１３を示す図である。配信図面データベース１３は、第２配信先情報と、第２部品情報とを関連付けて格納する。配信先２９、派生３０、品目３１及び部番３６を含む。
配信先２９は、第２配信先を示す第２配信先情報である。本実施例では、事業所の名称（略称）等である。
派生３０は、第２部品を含む製品の種類を示す情報である。本実施例では、自動車の車種における、複数の装備の組合せによる製品のバリエーションを示す呼称（略称）等である。
品目３１は、第２部品に関する情報を示す情報である。本実施例では、自動車の構成部品として個別に考慮可能な部品の集合である。
部番３６は、第２部品の番号である。
本実施例では、第２配信先情報が配信先２９であり、第２部品情報は、品目３１及び部番３６の少なくとも一つである。ただし、第２部品情報は、第１部品情報と同じ種類（品目同士、又は部番同士など）とする。
【００３２】
図１を参照して、図面データベース１４は、第１部品の図面及び第２部品の図面について、その図面を特定する図面特定情報とＣＡＤ図面のデータとしてのＣＡＤ図面データとを関連付けて格納する。このデータベースには、それまでに作成され、又は配信された図面が格納されている。
ここで、図面特定情報は、品目及び部品番号（以下「部番」と称する）のような図面を特定可能な情報である。
【００３３】
図面データベース１４について、更に説明する。
図２は、図面データベース１４を示す図である。図面データベース１４は、図面特定情報とＣＡＤ図面データとを関連付けて格納する。そして、配信先が同一である複数の図面がパッケージ化された図面パッケージ毎に格納されている。ただし、品目２１と部番２２とＣＡＤ図面データ２３とを含む。
品目２１は、図面で示される部品に関する情報を示す情報である。本実施例では、自動車の構成部品として個別に考慮可能な部品の集合である。
部番２２は、図面で示される部品の部品番号を示す。
ＣＡＤ図面データ２３は、３次元図面データや標題欄、構成欄のようなＣＡＤ図面に関する情報である。
本実施例では、図面特定情報は、品目２１及び部番２２の少なくとも一つである。
【００３４】
図１を参照して、部品表データベース１５は、第１部品を含む製品及び第２部品を含む製品それぞれに用いる全ての部品について、それぞれ部品を特定する部品特定情報と部品に関するデータとしての部品データとを関連付けて格納する。ここで、部品特定情報は、品目、階層及び部番のような部品を特定可能な情報である。
【００３５】
部品表データベース１５について、更に説明する。
図５は、部品表データベース１５を示す図である。部品表データベース１５は、部品特定情報と部品データとを関連付けて格納する。品目３２、階層３３、部番３４及び部品データ３５とを含む。このデータベースには、これまでに作製、又は使用された部品に関するデータが格納されている。
品目３２は、部品に関する情報を示す情報である。本実施例では、自動車の構成部品として個別に考慮可能な部品の集合である。
階層３３は、部品同士の包含（親子）関係を示す。すなわち、部品は、品目毎に階層に分かれて、関係木構造で整理されている。例えば、１つの品目に対して第１階層の枝に、第１階層の第１階層の部品（部番）が関連付けられ、その下位である第２階層の木に、第１階層の部品を構成する第２階層の部品（部番）が関連付けられている。以下同様である。この場合、第１階層の部品が親であり、第２階層の部品が子である。
部番３４は、部品の部品番号を示す。
部品データ３５は、部品に関するデータであり、部品をどの装備（オプション）の組み合わせに使用するかを示す部品適用情報、部品名・個数・材質・質量・体積・コストのような部品構成情報、部品の取り付け位置・部品の形状を示す情報のような部番位置形状情報に例示される。
本実施例では、部品特定情報は、品目３２、階層３３及び部番３４の少なくとも一つである。
【００３６】
図１を参照して、事業所サーバ２−１〜２−ｎは、ワークステーションやパーソナルコンピュータに例示される情報処理装置である。ネットワーク３を介して図面配信システム１と通信可能に接続されている。事業所サーバ２−１〜２−ｎは、図面配信システム１から図面の配信を受ける。
【００３７】
ネットワーク３は、ＬＡＮ（Ｌｏｃａｌ  Ａｒｅａ  Ｎｅｔｗｏｒｋ）に例示される専用回線、インターネットに例示される公衆回線等の通信可能な回線である。
【００３８】
次に、本発明である図面配信方法（図面配信システムの動作）の実施の形態に関して、添付図面を参照して説明する。
図６は、本発明である図面配信方法（図面配信システムの動作）の実施の形態の動作におけるフローを示す図である。
【００３９】
（１）ステップＳ０１
図面配信部１１は、図面パッケージについて、図面データベース１４の品目２１欄の全ての品目２１について、同じ品目を示す配信先データベース１２の品目２６欄の品目２６が存在することを確認する。同時に、品目２６に関連付けられる配信先２４欄から、全ての品目２１に対応する品目２６の（図面パッケージ）の配信先２４を確認する。
【００４０】
（２）ステップＳ０２
図面配信部１１は、品目２１に対応する品目２６欄の全ての品目から、過去に図面を配信したかどうかをチェックしていない一つの品目２６を選択する。
【００４１】
（３）ステップＳ０３
図面配信部１１は、配信先２４と品目２６とに基づいて、同じ配信先を示す配信図面データベース１３の配信先２９に関連付けられる品目３１欄から、品目２６と同一の品目があるかどうかを検索する。すなわち、配信先２４へ品目２６と同じ品目を有する図面を配信したかどうかを確認する。
配信していればステップＳ０４へ進む。配信していなければステップＳ０８へ進む。
【００４２】
（４）ステップＳ０４
配信先２４へ品目２６と同じ品目を有する図面を配信しているので、配信した図面の部番の一致を確認する。
図面配信部１１は、そのために、配信先データベース１２の品目２６に関連付けられる部番２７欄（又は、図面データベース１４の品目２１に関連付けられた部番２２欄）の全ての部番から一つの部番を選択する。
【００４３】
（５）ステップＳ０５
図面配信部１１は、選択した部番と、配信図面データベース１３の品目３１に関連付けられる部番３６欄の全ての部番とを比較し、同じ部番があるかを調べる。
同じ部番があればステップＳ０６へ進む。無ければステップＳ０７へ進む。
【００４４】
（６）ステップＳ０６
図面配信部１１は、同じ部番があるので、その部番の図面を配信する必要が無いと判断する。そして、その部番２７の図面について、部番２７に関連付けられる配信先データベース１２の配信の有無２８欄が、配信「無」とする。すなわち、配信先データベース１２において、配信する図面の登録を外される。
【００４５】
（７）ステップＳ０７
図面配信部１１は、品目２６に関連付けられる部番２７欄の残りの部番から一つの部番を選択する。そして、ステップＳ０４へ戻る。もし残りの部番が無ければ、ステップＳ０８へ進む。
【００４６】
（８）ステップ０８
図面配信部１１は、品目２６欄の残りの品目２６から一つの品目を選択する。そして、ステップＳ０２へ戻る。もし残りの品目が無ければ、ステップＳ０９へ進む。
【００４７】
（９）ステップＳ０９
図面配信部１１は、配信先データベース１２の配信の有無２８欄における、配信の有無を示す書き込みに従って、配信「有」である品目２６及び部番２７と同じ品目２１及び部番２２を有する図面のデータ（品目２１、部番２２及びＣＡＤ図面データ２３）を配信する。
なお、ステップＳ０２において、配信先２４へ品目２６と同じ品目を有する図面を配信していない場合には、配信先データベース１２の配信の有無２８欄が全て「有」のままであるので、全ての図面が配信される。
【００４８】
なお、以下のステップを追加することも可能である。
（１０）ステップＳ１０：図面配信部１１は、ステップＳ０９の後、配信された図面に関する情報（配信先２４、派生２５、品目２６及び部番２７）を配信先データベース１２から取得する。そして、それぞれの情報を、配信図面データベース１３の配信先２９、派生３０、品目３１及び部番３２に追加する。
このステップにより、配信図面データベース１３を自動的に更新することが可能となる。
【００４９】
また、配信図面データベース１３は、部番３６の情報を有していなくても良い。その場合には、配信図面データベース１３の品目３１に一致する品目を、部品表データベース１５の品目３２欄から取得し、品目３２欄に関連付けられた部番３６欄から対応する部番を取得すれば良い。
また、品目（英文字と数字と記号とで表現したもの）が同じであれば、部番は全て同じとすれば、配信先データベース１２の部番２７も不要となる。
これらの場合、データベースの占有領域を小さくすることができる。
【００５０】
また、上記プロセスは、図面の一致を調べるために、まず、配信先の一致を調べ、次に、品目の一致を調べ、最後に部番の一致を調べている。しかし、逆に、部番の一致を調べ、次に、品目の一致を調べ、最後に配信先の一致を調べてることも可能である。
また、品目の一致は必ずしも必要は無く、省略することも可能である。
【００５１】
また、本実施の形態では、図面の一致を調べるために、配信先、品目、部番を用いている。しかし、それ以外の分類方法を用いて、図面を分類している場合には、その分類に用いる情報を利用することも可能である。図面の数が多いことから、分類は関係木構造（ツリー構造）を有するようにすることが好ましい。
【００５２】
本発明により、配信される図面パッケージの中から、既に配信された図面だけを精度良く、容易に抽出することが可能となる。それにより、図面の配信時のシステムへの負担を大幅に軽減することが出来る。
【００５３】
また、配信される図面パッケージの中から、配信されていない図面だけを取り出して配信するので、配信時間が大幅に短縮され、必要の無いデータを一時保管する記憶領域も不要となる。従って、通信費やシステム機器等のコストを削減することが可能となる。
【００５４】
【発明の効果】
本発明により、図面パッケージの中から、既に配信された図面だけを精度良く適切に選択し、図面の配信ミスや誤配信等の問題を起こさず、必要な図面を配信することが可能となる。
【図面の簡単な説明】
【図１】本発明である図面配信システムを適用した図面取得システムの実施の形態における構成を示す図である。
【図２】本発明である図面配信システムの図面データベースを示す図である。
【図３】本発明である図面配信システムの配信先データベースを示す図である。
【図４】本発明である図面配信システムの配信図面データベースを示す図である。
【図５】本発明である図面配信システムの部品表データベースを示す図である。
【図６】本発明である図面配信システムの本発明である図面配信方法の実施の形態の動作におけるフロー図である。
【符号の説明】
１    図面配信システム
２−１〜２−ｎ    事業所サーバ
３    ネットワーク
１１    図面配信部
１２    配信先データベース
１３    配信図面データベース
１４    図面データベース
１５    部品表データベース
２１    品目
２２    部番
２３    ＣＡＤ図面データ
２４    配信先
２５    派生
２６    品目
２７    部番
２８    配信の有無
２９    配信先
３０    派生
３１    品目
３２    品目
３３    階層
３４    部番
３５    部品データ
３６    部番
【図１】
0003865227.tif 000002
【図２】
0003865227.tif 000003
【図３】
0003865227.tif 000004
【図４】
0003865227.tif 000005
【図５】
0003865227.tif 000006
【図６】
0003865227.tif 000007